(57)【要約】【課題】多芯コネクタを備えており、複数の光伝送路の通信状態を確認することが可能な通信光検知用光モジュール及び通信光検知構造を提供する。【解決手段】複数の光伝送路１０１と、複数の光伝送路１０１のそれぞれが相互に並列して挿通されて固定される多芯コネクタ１０２であって、複数の光伝送路１０１のそれぞれが露出されると共に複数の光伝送路１０１のそれぞれを固定するための接着剤１０３が充填される接着剤充填部１０４を有する多芯コネクタ１０２と、を備え、複数の光伝送路１０１のそれぞれは、複数の光伝送路１０１のそれぞれで伝送されている通信光１０５の一部が漏洩光１０６として取り出される光取出部１０７を有し、光取出部１０７が接着剤充填部１０４に配置されるように多芯コネクタ１０２に挿通されて固定される通信光検知用光モジュール１００である。【選択図】図１
2015219493.tif 000002
【特許請求の範囲】
【請求項１】
複数の光伝送路と、
前記複数の光伝送路のそれぞれが相互に並列して挿通されて固定される多芯コネクタであって、前記複数の光伝送路のそれぞれが露出されると共に前記複数の光伝送路のそれぞれを固定するための接着剤が充填される接着剤充填部を有する多芯コネクタと、
を備え、
前記複数の光伝送路のそれぞれは、前記複数の光伝送路のそれぞれで伝送されている通信光の一部が漏洩光として取り出される光取出部を有し、前記光取出部が前記接着剤充填部に配置されるように前記多芯コネクタに挿通されて固定されることを特徴とする通信光検知用光モジュール。
【請求項２】
前記複数の光伝送路のそれぞれは、前記光取出部が相互に長手方向で異なる位置に配置されるように前記多芯コネクタに挿通されて固定される請求項１に記載の通信光検知用光モジュール。
【請求項３】
前記接着剤は、前記漏洩光に対して透明である請求項１又は２に記載の通信光検知用光モジュール。
【請求項４】
前記接着剤は、熱硬化型樹脂又は光硬化型樹脂からなる請求項１から３の何れか一項に記載の通信光検知用光モジュール。
【請求項５】
請求項１から４の何れか一項に記載の通信光検知用光モジュールと、
前記漏洩光を受光するための受光素子を有する通信光検知器と、
を備えることを特徴とする通信光検知構造。
【請求項６】
前記通信光検知器は、複数の前記受光素子のそれぞれが前記光取出部と一対一で対応するように配置されてなる受光素子アレイを有する請求項５に記載の通信光検知構造。
【発明の詳細な説明】
【技術分野】
【０００１】
本発明は、通信光を検知して光伝送路の使用／不使用の状態を目視で確認するための通信光検知用光モジュール及び通信光検知構造に関する。
【背景技術】
【０００２】
光通信関連設備では、光伝送路の健全性を監視したり、人為的なコネクタの誤抜を防止したりすべく、不可視光領域にある通信光を検知して光伝送路の使用／不使用の状態（以下、通信状態という）を確認するための通信光検知技術が使用されている。
【０００３】
この通信光検知技術を具現化したものとしては、光伝送路で伝送されている通信光の一部を漏洩光として取り出し、その漏洩光を受光素子で受光することにより、光伝送路で通信光が伝送されているか否かを検知し、人間が目視で確認することができる形態で光伝送路の通信状態を出力する通信光検知構造が知られている（例えば、特許文献１から特許文献４を参照）。
【０００４】
図４に示すように、通信光検知構造４００は、通信光４０１の一部が漏洩光４０２として取り出される光取出部４０３を有する光伝送路４０４と、光伝送路４０４が挿通されて固定されると共に漏洩光４０２が四方八方に散乱されるように光散乱材料からなる単芯コネクタ４０５と、を備える通信光検知用光モジュール４０６と、漏洩光４０２を受光するための受光素子４０７を有する通信光検知器４０８と、漏洩光４０２が受光素子４０７に向けて取り出される光取出孔４０９を有すると共に単芯コネクタ４０５が嵌挿される通信光検知用アダプタ４１０と、を備えている。
【先行技術文献】
【特許文献】
【０００５】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【発明の概要】
【発明が解決しようとする課題】
【０００６】
しかしながら、単芯コネクタ４０５は、近年の情報容量の増大に伴う光伝送路の高密度実装には不向きであることから、単芯コネクタ４０５に代えて多芯コネクタを備えており、複数の光伝送路の通信状態を確認することが可能な通信光検知用光モジュールの登場が待たれている。
【０００７】
そこで、本発明の目的は、多芯コネクタを備えており、複数の光伝送路の通信状態を確認することが可能な通信光検知用光モジュール及び通信光検知構造を提供することにある。
【課題を解決するための手段】
【０００８】
この目的を達成するために創案された本発明は、複数の光伝送路と、前記複数の光伝送路のそれぞれが相互に並列して挿通されて固定される多芯コネクタであって、前記複数の光伝送路のそれぞれが露出されると共に前記複数の光伝送路のそれぞれを固定するための接着剤が充填される接着剤充填部を有する多芯コネクタと、を備え、前記複数の光伝送路のそれぞれは、前記複数の光伝送路のそれぞれで伝送されている通信光の一部が漏洩光として取り出される光取出部を有し、前記光取出部が前記接着剤充填部に配置されるように前記多芯コネクタに挿通されて固定される通信光検知用光モジュールである。
【０００９】
前記複数の光伝送路のそれぞれは、前記光取出部が相互に長手方向で異なる位置に配置されるように前記多芯コネクタに挿通されて固定されると良い。
【００１０】
前記接着剤は、前記漏洩光に対して透明であると良い。
【００１１】
前記接着剤は、熱硬化型樹脂又は光硬化型樹脂からなると良い。
【００１２】
また、本発明は、前記通信光検知用光モジュールと、前記漏洩光を受光するための受光素子を有する通信光検知器と、を備える通信光検知構造である。
【００１３】
前記通信光検知器は、複数の前記受光素子のそれぞれが前記光取出部と一対一で対応するように配置されてなる受光素子アレイを有すると良い。
【発明の効果】
【００１４】
本発明によれば、多芯コネクタを備えており、複数の光伝送路の通信状態を確認することが可能な通信光検知用光モジュール及び通信光検知構造を提供することができる。
【図面の簡単な説明】
【００１５】
【図１】本発明に係る通信光検知用光モジュールを示す概略斜視図である。
【図２】本発明に係る通信光検知用光モジュールを示す概略平面図である。
【図３】本発明に係る通信光検知構造を示す概略断面図である。
【図４】従来技術に係る通信光検知構造を示す概略断面図である。
【発明を実施するための形態】
【００１６】
以下、本発明の好適な実施の形態を添付図面にしたがって説明する。
【００１７】
先ず、通信光検知用光モジュールについて説明する。
【００１８】
図１及び図２に示すように、本発明の好適な実施の形態に係る通信光検知用光モジュール１００は、複数の光伝送路１０１と、複数の光伝送路１０１のそれぞれが相互に並列して挿通されて固定される多芯コネクタ１０２であって、複数の光伝送路１０１のそれぞれが露出されると共に複数の光伝送路１０１のそれぞれを固定するための接着剤１０３が充填される接着剤充填部１０４を有する多芯コネクタ１０２と、を備えている。
【００１９】
複数の光伝送路１０１のそれぞれは、例えば、光ファイバからなり、複数の光伝送路１０１のそれぞれで伝送されている通信光１０５の一部が漏洩光１０６として取り出される光取出部１０７を有し、光取出部１０７が接着剤充填部１０４に配置されるように多芯コネクタ１０２に挿通されている。
【００２０】
このとき、複数の光伝送路１０１のそれぞれは、光取出部１０７が相互に長手方向で異なる位置に配置されるように、例えば、平面視で光取出部１０７が千鳥状（ジグザグ）に配置されるように多芯コネクタ１０２に挿通されていることが望ましい。
【００２１】
これにより、複数の光伝送路１０１のそれぞれが、光取出部１０７が相互に長手方向で同一の位置に配置されるように多芯コネクタ１０２に挿通されている場合と比較して、相互に隣接している光取出部１０７の間隔を広げることができる。
【００２２】
その結果、特定の光取出部１０７で取り出された漏洩光１０６と他の光取出部１０７で取り出された漏洩光１０６とを明確に区別することができ、特定の光取出部１０７で取り出された漏洩光１０６のみを受光素子で選択的に受光して、特定の光伝送路１０１の通信状態のみを確実に確認することが可能となる。
【００２３】
ここでは、複数の光伝送路１０１のそれぞれが独立した光ファイバからなるものとして説明しているが、複数本の光ファイバが一括して纏められてなる光ファイバテープにより、複数の光伝送路１０１を実現しても構わない。
【００２４】
これにより、複数の光伝送路１０１のそれぞれが独立した光ファイバからなる場合と比較して、複数の光伝送路１０１の取扱性を向上させることができ、また複数の光伝送路１０１を多芯コネクタ１０２に挿通して固定する際の作業性を向上させることが可能となる。
【００２５】
なお、光取出部１０７としては、例えば、特許文献１から特許文献３に記載された光検知用溝や特許文献５に記載された軸ズレ部等の公知の構造を採用することができるが、本明細書では詳細な説明を省略する。
【００２６】
多芯コネクタ１０２は、例えば、樹脂成形技術を利用して成形された汎用のＭＴコネクタからなり、所定の間隔を持って相互に並列して配置されると共に複数の光伝送路１０１のそれぞれが挿通される複数の挿通孔１０８を有している。
【００２７】
複数の挿通孔１０８のそれぞれに複数の光伝送路１０１のそれぞれが挿通された後で接着剤充填部１０４に接着剤１０３が充填されることで、毛細管現象により接着剤１０３が挿通孔１０８の概ね全長に亘って浸透し、複数の光伝送路１０１のそれぞれが複数の挿通孔１０８のそれぞれの概ね全長に亘って確実に固定されることになる。
【００２８】
接着剤１０３は、漏洩光１０６に対して透明である必要がある。接着剤１０３が漏洩光１０６に対して不透明である場合には、漏洩光１０６が接着剤充填部１０４に閉じ込められてしまい、漏洩光１０６を受光素子で受光することができなくなってしまうからである。
【００２９】
また、接着剤１０３は、熱硬化型樹脂又は光硬化型樹脂からなることが望ましい。熱硬化型樹脂又は光硬化型樹脂は、硬化が速く取扱性に優れており、通信光検知用光モジュール１００の生産性の向上に繋がるためである。
【００３０】
更に、接着剤１０３としては、光透過率が高く、硬化後の硬度が高く、硬化前の粘度が低いものを使用することが望ましい。
【００３１】
光透過率が高い接着剤１０３を使用することにより、漏洩光１０６が接着剤１０３を通過する際の光損失を低減することができ、光伝送路１０１の通信状態を高精度で確認することが可能となるからである。
【００３２】
また、複数の光伝送路１０１のそれぞれが相互に並列して多芯コネクタ１０２に挿通されて固定された後、多芯コネクタ１０２の端面を研磨して平坦な光接続面１０９を得るが、この際に接着剤１０３の硬化後の硬度が低いと、研磨により接着剤１０３が脱離してしまう虞があるためである。
【００３３】
更に、硬化前の粘度が低い接着剤１０３を使用することにより、接着剤１０３が挿通孔１０８に素早く浸透し、複数の光伝送路１０１のそれぞれを多芯コネクタ１０２に固定するために要する時間を短縮することが可能となるからである。
【００３４】
なお、光散乱材料からなる接着剤１０３を使用することもできる。この場合には、漏洩光１０６が接着剤１０３で四方八方に散乱されてしまい、特定の光取出部１０７で取り出された漏洩光１０６と他の光取出部１０７で取り出された漏洩光１０６とを明確に区別することが困難となり、特定の光伝送路１０１の通信状態のみを選択的に確認することはできなくなる。
【００３５】
しかしながら、人為的な多芯コネクタ１０２の誤抜を防止するという観点で言えば、通信光１０５が伝送されている光伝送路１０１を特定する必要は無く、少なくとも１つの光伝送路１０１で通信光１０５が伝送されているか否かを検知できれば十分であるので、光散乱材料からなる接着剤１０３を使用することを排除しない。
【００３６】
次に、通信光検知構造について説明する。
【００３７】
図３に示すように、本発明の好適な実施の形態に係る通信光検知構造３００は、通信光検知用光モジュール１００と、漏洩光１０６を受光するための受光素子３０１を有する通信光検知器３０２と、を備えている。
【００３８】
通信光検知用光モジュール１００は、漏洩光１０６が受光素子３０１に向けて取り出される光取出孔３０３を有すると共に他の光モジュール３０４の多芯コネクタ３０５が嵌挿される通信光検知用アダプタ３０６を介して他の光モジュール３０４と光学的に接続されている。
【００３９】
通信光検知器３０２は、複数の受光素子３０１のそれぞれが光取出部１０７と一対一で対応するように配置されてなる受光素子アレイを有することが望ましい。
【００４０】
これにより、複数の光伝送路１０１のそれぞれの通信状態を一括して確認することができ、光伝送路１０１の通信状態の確認に要する時間や手間を大幅に削減することが可能となる。
【００４１】
これまで説明してきたように、本発明によれば、通信光検知用光モジュール１００において、複数の光伝送路１０１のそれぞれが、複数の光伝送路１０１のそれぞれで伝送されている通信光１０５の一部が漏洩光１０６として取り出される光取出部１０７を有しており、光取出部１０７が接着剤充填部１０４に配置されるように多芯コネクタ１０２に挿通されているため、複数の光伝送路１０１の通信状態を確認することが可能となる。
【符号の説明】
【００４２】
１００  通信光検知用光モジュール
１０１  光伝送路
１０２  多芯コネクタ
１０３  接着剤
１０４  接着剤充填部
１０５  通信光
１０６  漏洩光
１０７  光取出部
１０８  挿通孔
１０９  光接続面
３００  通信光検知構造
３０１  受光素子
３０２  通信光検知器
【図１】
2015219493.tif 000003
【図２】
2015219493.tif 000004
【図３】
2015219493.tif 000005
【図４】
2015219493.tif 000006